(57)【特許請求の範囲】
【請求項１】
相互に第１水平方向に延びる空隙をあけて第１水平方向に垂直な第２水平方向に隣接する２つの建物の各躯体の一方には、前記第２水平方向に隣接して床部と壁部とが前記空隙に臨んで設けられ、前記各躯体の他方には、前記一方の躯体の床部および壁部に第１水平方向に対向する床部が前記空隙に臨んで設けられ、前記一方の躯体の床部と前記他方の躯体の床部との間および前記一方の躯体の壁部と前記他方の躯体の床部との間にわたって、各躯体間の相対的変位に追従して前記空隙を塞いだ状態に維持する床用伸縮継手装置において、
前記一方の躯体の壁部に、前記空隙に近接した対向部の鉛直な第１取付面上で固定され、前記第１取付面よりも他方の躯体側に突出した第１支持片を有する第１縁材と、
前記一方の躯体の床部に、前記空隙に近接した対向部の水平な第２取付面上で固定され、前記第１支持片と第１水平方向に連続する第２支持片を有する第２縁材と、
前記他方の躯体の床部に、前記空隙に近接した対向部の鉛直な第３取付面上で固定され、第１および第２支持片と前記第２水平方向に予め定める間隔をあけて平行に配置される第３支持片を有する第３縁材と、
幅方向一端部が第１および第２支持片に支持され、幅方向他端部が第３支持片に変位可能に支持されるカバー体とを含み、
前記第１縁材と前記カバー体との間には、可撓性および弾発性を有する中空のパッキンが装着され、
前記パッキンは、前記第１取付面に固定される前記第１縁材の第１側板に沿って平行に配置される第１側部と、
前記第１側部に平行な第２側部と、
前記第１および第２側部の各一端部を連結する略Ｕ字状の案内部と、
前記第１および第２側部の各他端部を連結する上壁部と、
前記上壁部の一端部から前記一方の躯体の壁部側に突出する第１リップ部と、
前記上壁部の他端部から突出する第２リップ部と、
前記案内部および前記第２側部の連結部分から外方に突出する突部とを有することを特徴とする床用伸縮継手装置。
【請求項２】
前記カバー体は、幅方向一端部に、第１および第２支持片に一方の躯体側から臨む係合部が形成されることを特徴とする請求項１記載の床用伸縮継手装置。
【請求項３】
前記カバー体は、幅方向一端部が、第１および第２支持片に第２水平方向に変位可能に支持されることを特徴とする請求項１記載の床用伸縮継手装置。
【発明の詳細な説明】
【技術分野】
【０００１】
本発明は、相互に隣接する２つの建物の各躯体間の相対的変位を許容し、各躯体間の空隙を塞いだ状態に維持することができる床用伸縮継手装置に関する。
【背景技術】
【０００２】
図６は、従来の技術の床用伸縮継手装置１の構成を説明するための図であり、図６（１）は第１伸縮構造体６の鉛直断面図であり、図６（２）は床用伸縮継手装置１を上方から見た平面図であり、図６（３）は第２伸縮構造体７の鉛直断面図である。なお、図６（１）は図６（２）の切断面線Ａ−Ａから見た断面を示し、図６（３）は図６（２）の切断面線Ｂ−Ｂから見た断面を示す。相互に隣接する２つの建物の各躯体２ａ，２ｂ間には、目地としての空隙３が存在し、この空隙３を塞いで、通路などとして利用される床の連続性を確保するとともに、空隙３内へ物体の落下防止のために、床用伸縮継手装置１が設置されている。
【０００３】
床用伸縮継手装置１は、その設置区間が、各建物の構造上、各躯体２ａ，２ｂとも略水平な床部４ａ，４ｂからなる第１区間Ｃ１と、一方の躯体２ａが柱および壁を含む壁部５ａであり、他方の躯体２ａ側は前記床部４ｂに連続した床部５ｂである第２区間Ｃ２とにわたって設置される。このような床用伸縮継手装置１は、一方の躯体２ａの床部４ａと他方の躯体２ｂの床部４ｂとの間の空隙３を塞ぐ第１伸縮構造体６と、一方の躯体２ａの壁部５ａと他方の躯体２ｂの床部５ｂとの間の空隙３を塞ぐ第２伸縮構造体７との２つの構造体によって構成される。
【０００４】
第１伸縮構造体６は、各躯体２ａ，２ｂの各床部４ａ，４ｂに略水平な取付面８ａ，８ｂ上で複数のアンカー体９ａ，９ｂによってそれぞれ固定され、カバー体１０の幅方向両端部を変位可能に保持する一対の縁材１１ａ，１１ｂを有する。各縁材１１ａ，１１ｂには、可撓性の止水シート１２の幅方向両端部が係止され、略Ｕ字状に湾曲した状態で装着される。第２伸縮構造体７は、一方の躯体２ａの壁部５ａに略鉛直な取付面１３ａ上でアンカー体１４ａによって固定される一方の縁材１５ａと、他方の躯体２ｂの床部５ｂに略水平な取付面１３ｂ上でアンカー体１４ｂによって固定される他方の縁材１５ｂとを有する。各縁材１５ａ，１５ｂには、カバー体１６の幅方向両端部が変位可能に保持されるとともに、可撓性の止水シート１７の幅方向両端部が係止され、略Ｕ字状に湾曲した状態で装着される。
【０００５】
第１伸縮構造体６において、一方の躯体２ａに固定される縁材１１ａは、他方の躯体２ｂに臨む対向部１８ａから突出する支持片１９ａを有する基部２０ａと、基部２０ａに上方からビス２１ａによって固定される化粧カバー２２ａとを含む。また、他方の躯体２ｂに固定される縁材１１ｂは、一方の躯体２ａに臨む対向部１８ｂから突出する支持片１９ｂを有する基部２０ｂと、基部２０ｂに上方からビス２１ｂによって固定される化粧カバー２２ｂとを含み、前記一方の躯体２ａに固定される縁材１１ａと同様に構成される。前記カバー体１０の幅方向両端部は、各縁材１１ａ，１１ｂの支持片１９ａ，１９ｂに支持された状態で、化粧カバー２２ａ，２２ｂの遊端部によって上方から弾発的に押圧され、図６（１）に示す設置当初の状態においては、幅方向中央部が各対向部１８ａ，１８ｂ間のほぼ中央に配置され、地震などによる各躯体２ａ，２ｂの相対的変位を許容し、空隙３をカバー体１０によって塞いだ状態に維持することができるように構成されている。
【０００６】
また第２伸縮構造体７において、一方の躯体２ａに固定される縁材１５ａは、他方の躯体２ｂに臨む略鉛直な取付面１３ａから突出する支持片２３ａおよび挟着片２４を有する基部２５ａと、基部２５ａの挟着片２４によって挟着される挿入片２６を有する化粧カバー２７ａとを含む。他方の躯体２ｂに固定される縁材１５ｂは、カバー体１６の幅方向他端部を支持する支持片２３ｂを有する基部２５ｂと、基部２５ｂにビス２８によって固定される化粧カバー２７ｂとを含み、前記第１伸縮構造体６の他方の躯体２ｂに設けられる前記縁材１１ｂと長手方向に連続して一体的に形成される。前記カバー体１６の幅方向一端部は、一方の縁材１５ａの支持片２３ａ上に化粧カバー２７ａの遊端部によって弾発的に押圧された状態で支持される。前記カバー体１６の幅方向他端部は、他方の縁材１５ｂの支持片２３ｂ上に化粧カバー２７ｂの遊端部によって弾発的に押圧された状態で支持される。
このような従来の技術は、たとえば特許文献１に記載されている。
【０００７】
【特許文献１】実公昭６２−１７５２１号公報
【発明の開示】
【発明が解決しようとする課題】
【０００８】
前記従来の技術では、第１伸縮構造体６において、地震などによって各躯体２ａ，２ｂが相互に近接する方向に相対的変位を生じたときには、カバー体１０の幅方向両端部が各縁材１１ａ，１１ｂ内で相互に対向する内面３０ａ，３０ｂに当接するまでの距離ａ１，ｂ１の和を近接変位吸収量Ｌ１ＩＮ（＝ａ１＋ｂ１）とし、各躯体２ａ，２ｂが相互に離反する方向に相対的変位を生じたときには、カバー体１０の幅方向両端部が前記離反する方向の変位を生じる前の図６（１）に示される状態から各支持片１９ａ，１９ｂと化粧カバー２２ａ，２２ｂとによって挟持された状態に至るまでの距離ａ１１，ｂ１１の和を離反変位吸収量Ｌ１ＯＵＴ（＝ａ１１＋ｂ１１）とする。
【０００９】
第２伸縮構造体７において、各躯体２ａ，２ｂが相互に近接する方向に相対的変位を生じたときには、カバー体１６の幅方向両端部が各縁材１５ａ，１５ｂ内で相互に対向する内面３１ａ，３１ｂに当接するまでの距離ａ２，ｂ２の和を近接変位吸収量Ｌ２ＩＮ（＝ａ２＋ｂ２）とし、各躯体２ａ，２ｂが相互に離反する方向に相対的変位を生じたときには、カバー体１６の幅方向両端部が前記離反する方向の変位を生じる前の図６（３）に示される状態から各支持片２３ａ，２３ｂと化粧カバー２７ａ，２７ｂとによって挟持された状態に至るまでの距離ａ１２，ｂ１２の和を離反変位吸収量Ｌ２ＯＵＴ（＝ａ１２＋ｂ１２）とする。
【００１０】
第１伸縮構造体６の近接変位吸収量Ｌ１ＩＮと第２伸縮構造体７の近接変位吸収量Ｌ２ｉｎとを対比すると、他方の躯体２ｂに設けられる各縁材１１ｂ，１５ｂは同一構造で連続した構成であるため、これらの縁材１１ｂ，１５ｂによる変位吸収量ｂ２，ｂ１２は同一（ｂ２＝ｂ１２）であるが、一方の躯体２ａに設けられる各縁材１１ａ，１５ａは構造が異なり、互いに不連続であるため、壁部５ａの縁材１５ａによる変位吸収量ａ２，ａ１２は、床部５ｂの縁材１５ｂによる変位吸収量ｂ２，ｂ１２よりも小さく（ａ２＜ｂ２，ａ１２＜ｂ１２）、第１伸縮構造体６と第２伸縮構造体７との近接変位吸収量Ｌ１ＩＮ，Ｌ２ＩＮが相違し、各カバー体１０，１６を第１伸縮構造体６と第２伸縮構造体７とにわたって連続した一体構造とすることができない。このため、各躯体２ａ，２ｂが図６（２）の上下方向に相対的に変位したとき、第１伸縮構造体６のカバー体１０と第２伸縮構造体７のカバー体１６とが離反して、各カバー体１０，１６間に開口が発生し、あるいは各カバー体１０，１６が近接して相互に干渉してしまうという問題がある。
【００１１】
また、一方の躯体２ａの床部４ａに設けられる縁材１１ａの支持片１９ａおよび化粧カバー２２ａの遊端部は、壁部５ａに設けられる縁材１５ａの支持片２３ａおよび化粧カバー２７ａの遊端部に対して、各躯体２ａ，２ｂが相互に近接／離反する水平方向（図６（１）〜図６（３）の左右方向）に距離ΔＬだけずれているため、各カバー体１０，１６が不連続であることが強く認識され、美観が低下してしまうという問題がある。
【００１２】
本発明の目的は、美観を低下させず、カバー体の離反による開口の発生を防止することができる床用伸縮継手装置を提供することである。
【課題を解決するための手段】
【００１３】
本発明は、相互に第１水平方向に延びる空隙をあけて第１水平方向に垂直な第２水平方向に隣接する２つの建物の各躯体の一方には、前記第２水平方向に隣接して床部と壁部とが前記空隙に臨んで設けられ、前記各躯体の他方には、前記一方の躯体の床部および壁部に第１水平方向に対向する床部が前記空隙に臨んで設けられ、前記一方の躯体の床部と前記他方の躯体の床部との間および前記一方の躯体の壁部と前記他方の躯体の床部との間にわたって、各躯体間の相対的変位に追従して前記空隙を塞いだ状態に維持する床用伸縮継手装置において、
前記一方の躯体の壁部に、前記空隙に近接した対向部の鉛直な第１取付面上で固定され、前記第１取付面よりも他方の躯体側に突出した第１支持片を有する第１縁材と、
前記一方の躯体の床部に、前記空隙に近接した対向部の水平な第２取付面上で固定され、前記第１支持片と第１水平方向に連続する第２支持片を有する第２縁材と、
前記他方の躯体の床部に、前記空隙に近接した対向部の鉛直な第３取付面上で固定され、第１および第２支持片と前記第２水平方向に予め定める間隔をあけて平行に配置される第３支持片を有する第３縁材と、
幅方向一端部が第１および第２支持片に支持され、幅方向他端部が第３支持片に変位可能に支持されるカバー体とを含み、
前記第１縁材と前記カバー体との間には、可撓性および弾発性を有する中空のパッキンが装着され、
前記パッキンは、前記第１取付面に固定される前記第１縁材の第１側板に沿って平行に配置される第１側部と、
前記第１側部に平行な第２側部と、
前記第１および第２側部の各一端部を連結する略Ｕ字状の案内部と、
前記第１および第２側部の各他端部を連結する上壁部と、
前記上壁部の一端部から前記一方の躯体の壁部側に突出する第１リップ部と、
前記上壁部の他端部から突出する第２リップ部と、
前記案内部および前記第２側部の連結部分から外方に突出する突部とを有することを特徴とする床用伸縮継手装置である。
【００１４】
本発明に従えば、一方の躯体は床部と壁部とを有し、他方の躯体は床部を有し、一方の躯体の床部と他方の躯体の床部および一方の躯体の壁部と他方の躯体の床部は、各建物間の目地などである空隙を介して対向し、これらの躯体間にわたって床用伸縮継手装置が設けられる。
【００１５】
一方の躯体の壁部には、前記空隙に近接した対向部の鉛直な第１取付面上に第１縁材が固定される。この第１縁材は、第１取付面よりも他方の躯体側に突出した第１支持片を有する。また、一方の躯体の床部には、空隙に近接した対向部の水平な第２取付面上に第２縁材が固定される。この第２縁材は、第１支持片と第１水平方向に連続する第２支持片を有する。さらに、他方の躯体の床部には、空隙に近接した対向部の鉛直な第３取付面上に第３縁材が固定される。この第３縁材は、第１縁材の第１支持片および第２縁材の第２支持片に平行であって、これらの第１および第２支持片に対して第２水平方向に予め定める間隔をあけて平行に配置される第３支持片を有する。
【００１６】
このような第１および第２縁材によってカバー体の幅方向一端部が支持され、第３縁材によってカバー体の幅方向他端部が変位可能に支持されるので、前記カバー体を第１水平方向に連続的に配置することができ、美観を低下させずに、各躯体の相対的変位に伴う開口の発生を防止することができる。
また、第１縁材とカバー体との間には中空のパッキンが装着されるので、各躯体が相互に近接する方向に相対的変位を生じたとき、第１縁材はパッキンの圧縮変形量に相当する距離を近接変位吸収量として、各躯体間の近接する方向の相対的変位を許容することができる。
【００１７】
また本発明は、前記カバー体は、幅方向一端部に、第１および第２支持片に一方の躯体側から臨む係合部が形成されることを特徴とする。
【００１８】
本発明に従えば、前記カバー体の幅方向一端部に係合部を設けることによって、各躯体が相対的変位を生じても、前記係合部が第１および第２支持片に一方の躯体側から係合し、カバー体の脱落を防止することができる。またカバー体の係合部が第１および第２支持片に係合することによって、カバー体の第１縁材または第２縁材からの離反による開口の発生を防止することができる。
【００１９】
さらに本発明は、前記カバー体は、幅方向一端部が、第１および第２支持片に第２水平方向に変位可能に持されることを特徴とする。
【００２０】
本発明に従えば、前記カバー体の幅方向一端部が第１縁材の第１支持片および第２縁材の第２支持片に対して第２水平方向に変位可能に支持されるので、前記第２水平方向に関して各躯体のより大きな相対的変位を許容することができる。
【発明の効果】
【００２１】
本発明によれば、第１水平方向に連続する第１支持片と第２支持片とによって、カバー体の幅方向一端部が支持され、第１および第２支持片に平行な第３支持片によってカバー体の幅方向他端部が支持されるので、第１水平方向に連続してカバー体を配置することができ、これによって美観を低下させずに、各躯体の相対的変位を許容し、開口の発生を防止することができる。
また、第１縁材とカバー体との間には中空のパッキンが装着されるので、地震などによって各躯体が相互に近接する方向に相対的変位を生じたとき、第１縁材はパッキンの圧縮変形量に相当する距離を近接変位吸収量として、各躯体間の近接する方向の相対的変位を許容することができる。
【００２２】
また本発明によれば、カバー体の幅方向一端部に係合部を設け、カバー体が第１および第２支持片に係合するように構成されるので、カバー体の脱落およびカバー体のずれによる開口の発生を防止することができる。
【００２３】
さらに本発明によれば、第１および第２支持片によってカバー体の幅方向一端部が第２水平方向に変位可能に支持されるので、各躯体の第２水平方向に関して許容可能な変位量を大きくすることができる。
【発明を実施するための最良の形態】
【００２４】
図１は、本発明の実施の一形態の床用伸縮継手装置４１を示す図であり、図１（１）は床用伸縮継手装置４１の床部４４における構成を示す鉛直断面図であり、図１（２）は床用伸縮継手装置４１の平面図であり、図１（３）は床用伸縮継手装置４１の壁部４５における構成を示す鉛直断面図である。なお、図１（１）は図１（２）の切断面線Ｄ−Ｄから見た断面を示し、図１（３）は図１（２）の切断面線Ｅ−Ｅから見た断面を示す。
【００２５】
相互に第１水平方向Ｘ１に延びる空隙４２をあけて第１水平方向Ｘ１に垂直な第２水平方向Ｘ２に隣接する２つの建物の各躯体４３ａ，４３ｂのうちの一方の躯体４３ａには、前記第２水平方向Ｘ２に隣接して床部４４と壁部４５とが前記空隙４２に臨んで設けられ、前記各躯体４３ａ，４３ｂのうちの他方の躯体４３ｂには、前記一方の躯体４３ａの床部４４および壁部４５に第１水平方向Ｘ１に対向する床部４６が前記空隙４２に臨んで設けられる。
【００２６】
このような各躯体４３ａ，４３ｂ間の相対的変位に追従して前記空隙４２を塞いだ状態に維持するために、本実施の形態の床用伸縮継手装置４１が前記一方の躯体４３ａの床部４４と前記他方の躯体４３ｂの床部４６との間、および前記一方の躯体４３ａの壁部４５と前記他方の躯体４３ｂの床部４６との間にわたって設けられる。
【００２７】
この床用伸縮継手装置４１は、一方の躯体４３ａの壁部４５に、前記空隙４２に近接した対向部４７の鉛直な第１取付面４８上でアンカー体４９によって固定され、前記第１取付面４８よりも他方の躯体４３ｂ側に突出した第１支持片５０を有する第１縁材５１と、一方の躯体４３ａの床部４４に、空隙４２に近接した対向部５２の水平な第２取付面５３上でアンカー体５４によって固定され、第１支持片５０と第１水平方向Ｘ１に連続する第２支持片５５を有する第２縁材５６と、他方の躯体４３ｂの床部４６に、空隙４２に近接した対向部５７の鉛直な第３取付面５８上でアンカー体５９によって固定され、第１および第２支持片５０，５５と前記第２水平方向Ｘ２に予め定める間隔ΔＬをあけて平行に配置される第３支持片６０を有する第３縁材６１と、幅方向一端部が第１および第２支持片５０，５５に支持され、幅方向他端部が第３支持片６０に変位可能に支持されるカバー体６４と、第１および第３縁材５１，６１に幅方向両端部が係止され、断面を略Ｕ字状に湾曲させた状態で第１水平方向に延びて装着される第１止水シート６２と、第２および第３縁材５６，６１に幅方向両端部が係止され、断面を略Ｕ字状に湾曲させた状態で第１水平方向に延びて装着される第２止水シート６３とを含む。
【００２８】
図２は、図１（２）の切断面線Ｅ−Ｅから見た床用伸縮継手装置４１の拡大断面図であり、図１（３）を拡大した断面を示す。前記第１縁材５１は、断面が略Ｕ字状の基部６７と、第１支持片５０に装着されるクッション材６９とを有する。基部６７およびカバー体６４の幅方向一端部間には、中空のパッキン６８が装着される。
【００２９】
基部６７は、前記アンカー体４９によって壁部４５の第１取付面４８に固定される第１側板５１ａの下端部に、底板５１ｂが直角に連なり、この底板５１ｂの前記側板５１ａから最も離れた部分に第２側板５１ｃが直角に連なって上方に立ち上がり、この第２側板５１ｃの上端部分に前記第１側板５１ａに向かって直角に突出する上縁板５１ｄが連なり、底板５１ｂの下面にＬ字状の嵌合片５１ｅが連なった長尺材からなる。前記第２側板５１ｃと上縁板５１ｄとによって、前記第１支持片５０が構成される。このような基部６７は、構造用鋼またはアルミニウム合金からなる押し出し形材によって実現される。
【００３０】
パッキン６８は、前記基部６７の第１側板５１ａに沿って平行に配置される第１側部６８ａと、第１側部６８ａに平行な第２側部６８ｂと、第１および第２側部６８ａ，６８ｂの各一端部を連結する略Ｕ字状の案内部６８ｃと、第１および第２側部６８ａ，６８ｂの各他端部を連結する上壁部６８ｄと、上壁部６８ｄの一端部から壁部４５側に突出する第１リップ部６８ｅと、上壁部６８ｄの他端部から突出する第２リップ部６８ｆと、案内部６８ｃおよび第２側部６８ｂの連結部分から外方に突出する突部６８ｇとを有する。
【００３１】
このようなパッキン６８は、可撓性および弾発性を有するとともに、耐水性および耐候性の高い軟質の合成樹脂、たとえばシリコーンゴム、ＥＰＤＭまたはクロロプレンゴムからなる中空の長尺材によって実現され、基部６７とカバー体６４との間に嵌着される。
【００３２】
前記カバー体６４は、平坦部分７３と、平坦部分７３の幅方向一端部に直角に連なる第１屈曲部分７４と、第１屈曲部分７４の遊端部に直角に連なる第２屈曲部分７５と、平坦部分７３の幅方向他端部に屈曲して連なる第３屈曲部分７６とを有する。前記第１屈曲部分７４と第２屈曲部分７５とは、カバー体６４の幅方向一端部に形成され、第１および第２支持片５０，５５に一方の躯体４３ａ側から臨む係合部を構成する。このようなカバー体６４は、アルミ押出形材またはステンレス鋼板からなる。
【００３３】
次に、まず第３縁材６１について説明し、第２縁材５６については図４において後述する。前記第３縁材６１は、本体８１と、化粧カバー８２と、ライナー部材８３とを含む。本体８１は、平板状の底板８１ａの幅方向一端部に上方に向かって直角に立ち上がる第１側板８１ｂが形成され、この第１側板８１ｂの裏側には第１および第２止水シート６２，６３の幅方向他端部が嵌着されるＬ字状の嵌合片８１ｃが形成される。前記第１側板８１ｂは、この部分によって前記第３支持片６０を構成し、上端部には前記第１支持片５０に装着されたクッション材６９と同様なクッション材８６が装着される。
【００３４】
また底板８１ａの幅方向他端部には、上方に向かって直角に立ち上がる第２側板８１ｄが形成され、第２側板８１ｄの上端部には、前記第１側板８１ｂ側に突出する略Ｕ字状のねじ受け部８１ｅと、前記第１側板８１ｂとは反対側（図２の右側）に突出して上方に立ち上がる見切り片８１ｆとが形成される。
【００３５】
底板８１ａの下面には、３条のＬ字状の脚部８１ｇ，８１ｈ，８１ｉが幅方向にほぼ等間隔をあけて平行に形成される。最も空隙４２側に形成される脚部８１ｇと中央に形成される脚部８１ｈとは、空隙４２から最も離れた位置、すなわち第２側板８１ｄの直下に形成される脚部８１ｉに対向する向きに。これらの脚部８１ｇ，８１ｈ，８１ｉは、ライナー部材８３上に乗載され、第３縁材６１全体を安定に支持するとともに、ライナー部材８３に後述するように係合して、第３縁材６１がライナー部材８３に対して第２水平方向Ｘ２に位置決めされて、第２水平方向Ｘ２の変位が阻止される。この状態では、第３縁材６１の前記最も空隙４２側の脚部８１ｇから幅方向一端部側の部分は、空隙４２内に突出している。
【００３６】
前記第２側板８１ｄ、ねじ受け部８１ｅおよび見切り片８１ｆが相互に交差する部分８４には、第２側板８１ｄに垂直な支持面８５が形成され、この支持面８５上には前記化粧カバー８２の幅方向他端部が乗載されて支持される。化粧カバー８２の幅方向一端部は、第１側板８１ｂの直上に配置され、この幅方向一端部およびその近傍によってカバー体６４が第３支持片６０から浮き上がらないように下方に押さえられ、第３支持片６０にクッション材８６を介して確実に支持される。
【００３７】
図３は、ライナー部材８３の斜視図である。前記ライナー部材８３は、第１水平方向Ｘ１を長手方向とする帯状または矩形状のライナープレート９０と、このライナープレート９０に前記長手方向に３００ｍｍ〜５００ｍｍの等間隔をあけて底板８１ａに係止される複数の係止プレート９１とを有する。係止プレート９１は、中央に幅方向に延びる長孔９２が形成される基板９３と、この基板９３の幅方向両端部でかつ中心軸線９４に関して１つの対角線上に位置を違えて配置される一対の係止片９５ａ，９５ｂとを有する。
【００３８】
各係止片９５ａ，９５ｂは、前記基板９３から幅方向外側方（図２では左方および右方）に鉤状に突出し、前記第３縁材６１の各脚部８１ｈ，８１ｉが係合して係止される。長孔９２には、前記アンカー体５９のアンカープラグ９６（図２参照）の上端面がライナープレート９０に形成される透孔９９を介して上方に臨み、底板８１ａのボルト挿通孔９７を挿通して装着されたアンカーボルト９８が螺着され、ライナー部材８３上に本体８１が水平に固定される。
【００３９】
前記係止プレート９１は、長手方向に連続した係止片９５ａ，９５ｂを有する長尺状のアルミ押出形材を所要の長さに切断加工した長尺材または短尺材であってもよい。また、ボルト挿通孔９７を係止プレート９１の長孔９２と位置を合わせた後、ライナープレート９０および躯体４３ｂに孔明けをし、アンカープラグ９６を挿着してアンカーボルト９８を固定してもよい。
【００４０】
図４は、図２（２）の切断面線Ｄ−Ｄから見た床用伸縮継手装置４１の拡大断面図である。前記第２縁材５６は、前述の第１縁材５１と第１水平方向Ｘ１に隣接して一方の躯体４３ｂの床部４６の第２取付面５３上に固定される。この第２縁材５６の具体的構成について、以下に説明する。
【００４１】
第２縁材５６は、本体１０１と、ライナー部材１０２と、化粧カバー１０３とを含む。本体１０１は、平板状の第１底板１０１ａの幅方向一端部に上方に向かって直角に立ち上がる第１側板１０１ｂが形成され、第１底板１０１ａの幅方向他端部には下方に直角に立ち下がる段差部１０１ｃが連なり、段差部１０１ｃの下端部には第２底板１０１ｄが第１側板１０１ａから離反する方向に延びて直角に連なる。第２底板１０１ｄの幅方向他端部には、第２側板１０１ｅが上方に直角に立ち上がって形成され、第２側板１０１ｅの上端部には第１側板１０１ａに向かって直角に突出する上縁板１０１ｆが形成される。
【００４２】
底板１０１ｄの下面には、第２止水シート６３の幅方向一端部が嵌着されるＬ字状の嵌合片１０１ｇが形成される。前記第２側板１０１ｅと上縁板１０１ｆとは、前記第２支持片５５を構成し、上縁板１０１ｆには前記第１支持片５０に装着されたクッション材６９と同様なクッション材１０４が装着される。
【００４３】
第１側板１０１ｂの上端部には、第２側板１０１ｅ側に突出する略Ｕ字状のねじ受け部１０１ｈと、前記第２側板１０１ｅとは反対側（図４の左側）に突出して上方に立ち上がる見切り片１０１ｉとが形成される。
【００４４】
第１底板１０１ａの下面には、２条のＬ字状の脚部１０１ｊ，１０１ｋが幅方向に間隔をあけて平行に形成される。各脚部１０１ｊ，１０１ｋは、相互に近接する方向に突出したＬ字状断面をなし、ライナー部材１０２上に乗載され、第２縁材５６全体を安定に支持するとともに、ライナー部材１０２に係合して、第２縁材５６をライナー部材１０２に対して第２水平方向Ｘ２に位置決めして、第２水平方向Ｘ２の変位を阻止する。この状態では、第２縁材５６の空隙４２側の脚部１０１ｋから幅方向他端部側の部分は、空隙４２内に突出している。
【００４５】
前記第１側板１０１ｂ、ねじ受け部１０１ｈおよび見切り片１０１ｉが相互に交差する部分１０５には、第１側板１０１ｂに垂直な支持面１０６が形成され、この支持面１０６上には化粧カバー１０３の幅方向一端部が乗載されて支持される。化粧カバー１０３の幅方向他端部は、第２側板１０１ｅの直上よりも第１側板１０１ｂ側にわずかに退避して配置され、この幅方向他端部によってカバー体６４が下方に押さえられ、第２支持片５５にクッション材１０４を介して確実に支持される。
【００４６】
前記ライナー部材１０２は、前記ライナー部材８３とほぼ同様に構成されるが、第２縁材５６の２条の脚部１０１，１０１とほぼ等しい幅を有する点で相違する。すなわち、ライナー部材１０２は、第１水平方向Ｘ１を長手方向とする帯状または矩形状のライナープレート１１０と、このライナープレート１１０に前記長手方向に３００ｍｍ〜５００ｍｍの等間隔をあけて第１底板１０１ａに係止される複数の係止プレート１１１とを有する。係止プレート１１１は、中央に幅方向に延びる長孔１１２が形成される基板１１３と、この基板１１３の幅方向両端部でかつ中心軸線１１４に関して１つの対角線上に位置を違えて配置される一対の係止片１１５ａ，１１５ｂとを有する。
【００４７】
各係止片１１５ａ，１１５ｂは、前記基板１０３から幅方向外側方（図４では左方および右方）に鉤状に突出し、前記第２縁材５６の各脚部１０１ｊ、１０１ｋが係合して係止される。長孔１１２には、前記アンカー体５４のアンカープラグ１１６の上端面がライナープレート１１０に形成される透孔１１７を介して上方に臨み、第１底板１０１ａのボルト挿通孔１１８を挿通して装着されたアンカーボルト１１９が螺着され、ライナー部材１０２上に本体１０１が水平に固定される。
【００４８】
前記係止プレート１１１は、長手方向に連続した係止片１１５ａ，１１５ｂを有するアルミ押出形材を所要の長さに切断加工した長尺材または短尺材であってもよい。また、ボルト挿通孔１１７を係止プレート１１１の長孔１１２と位置を合わせた後、ライナープレート１１０および躯体４３ａに孔明けをし、アンカープラグ１１６を挿着してアンカーボルト１１９を固定してもよい。
【００４９】
このような床用伸縮継手装置４１によれば、地震などによって各躯体４３ａ，４３ｂが相互に近接する方向に相対的変位を生じたとき、第１縁材５１はパッキン６８の圧縮変形量に相当する距離を近接変位吸収量Ｌ１１とし、第２縁材５６はカバー体６４の第１屈曲部分７４がねじ受け部１０１ｈに当接するまでの距離を近接変位吸収量Ｌ１２とし、第３縁材６１は、カバー体６４の幅方向他端部が第２側板８１ｄに当接するまでの距離を近接変位吸収量Ｌ１３として、各躯体４３ａ、４３ｂ間の近接する方向の相対的変位を許容することができる。
【００５０】
また、各躯体４３，４３ｂが相互に離反する方向に相対的変位を生じたときには、第１縁材５１は第１支持片５０によってカバー体６４の第１縁材５１から離反する方向の変位が阻止され、第２縁材５６は第２支持片５５によってカバー体６４の第２縁材５６から離反する方向の変位が阻止され、第３縁材６１は、カバー体６４の幅方向他端部が第３支持片６０に係止されるまでの距離を離反変位吸収量Ｌ１４とし、各躯体４３，４３ｂ間の相互に離反する方向の相対的変位を許容することができる。
【００５１】
このように第１および第２縁材５１，５６によってカバー体６４の幅方向一端部が支持され、第３縁材６１によってカバー体６４の幅方向他端部が変位可能に支持されるので、前記カバー体６４を第１水平方向Ｘ１に連続的に配置することができ、美観を低下させずに、各躯体４３ａ，４３ｂの相対的変位に伴う開口の発生を防止し、美観の低下させずに各躯体４３ａ，４３ｂ間の変位を許容することができる。
【００５２】
また、前記カバー体６４の幅方向一端部に係合部として第１および第２屈曲部分７４，７５を設けることによって、各躯体４３ａ，４３ｂが相互に離反する方向に相対的変位を生じても、第１および第２屈曲部分７４，７５が第１および第２支持片５０，５５に一方の躯体４３ａ側から係合し、カバー体６４の脱落を防止することができる。またカバー体６４の第１および第２屈曲部分７４，７５が第１および第２支持片５０，５５に係合することによって、カバー体６４の第１縁材５１または第２縁材５６からの離反による開口の発生を防止することができる。
【００５３】
図５は、本発明の実施の他の形態の床用伸縮継手装置４１ａを示す鉛直断面図であり、図１（２）の切断面線Ｄ−Ｄから見た断面を示す。なお、前述の実施の形態と対応する部分には、同一の参照符を付す。本実施に形態の床用伸縮継手装置４１ａにおいて注目すべきは、前記カバー体６４ａは、幅方向一端部側に第１傾斜部１２１が形成され、幅方向他端部側に第２傾斜部１２２が形成され、第１および第２傾斜部１２１，１２２間に水平部１２３が形成される。
【００５４】
このように構成されるカバー体６４ａが第２および第３支持片５５，６０に第２水平方向Ｘ２に変位可能に支持されるので、各躯体４３ａ，４３ｂ間の前記近接変位吸収量Ｌ１２，Ｌ１３の近接方向の相対的変位を許容することができるとともに、カバー体６４ａの幅方向一端部が第２縁材５６の第２支持片５５に対して離反変位吸収量Ｌ１５の離反変位吸収することができるので、前記第２水平方向Ｘ２の離反する方向の変位に関して各躯体４３ａ，４３ｂ間のより大きな相対的変位を許容することができる。
【図面の簡単な説明】
【００５５】
【図１】本発明の実施の一形態の床用伸縮継手装置４１を示す図であり、図１（１）は床用伸縮継手装置４１の床部４４における構成を示す鉛直断面図であり、図１（２）は床用伸縮継手装置４１の平面図であり、図１（３）は床用伸縮継手装置４１の壁部４５における構成を示す鉛直断面図である。
【図２】図１（２）の切断面線Ｅ−Ｅから見た床用伸縮継手装置４１の拡大断面図である。
【図３】ライナー部材８３の斜視図である。
【図４】図２（２）の切断面線Ｄ−Ｄから見た床用伸縮継手装置４１の拡大断面図である。
【図５】本発明の実施の他の形態の床用伸縮継手装置４１ａを示す鉛直断面図である。
【図６】従来の技術の床用伸縮継手装置１の構成を説明するための図であり、図６（１）は第１伸縮構造体６の鉛直断面図であり、図６（２）は床用伸縮継手装置１を上方から見た平面図であり、図６（３）は第２伸縮構造体７の鉛直断面図である。
【符号の説明】
【００５６】
４１，４１ａ  床用伸縮継手装置
４２  空隙
４３ａ，４３ｂ  躯体
４４  床部
４５  壁部
４６  床部
５０  第１支持片
５１  第１縁材
５３  第２取付面
５４  アンカー体
５５  第２支持片
５６  第２縁材
５８  第３取付面
５９  アンカー体
６０  第３支持片
６１  第３縁材
６４  カバー体
８３  ライナー部材
【図１】
0004824957.tif 000002
【図２】
0004824957.tif 000003
【図３】
0004824957.tif 000004
【図４】
0004824957.tif 000005
【図５】
0004824957.tif 000006
【図６】
0004824957.tif 000007